(57)【要約】【課題】侵入者検知情報を複数の送信先に送信する際に、その送信先の設定はサービス業者などに委託せねばならなかった。またすべての送信先から宅内の情報を含む画像を閲覧できることはプライバシー保護の点で問題があった。【解決手段】センターサーバから侵入者の検知情報を送信するアドレスをもつ複数の端末装置の少なくとも１つから、前記センターサーバに通信して、送信先の登録、変更、削除、送信先のグループ化を可能とすることでユーザが自分の状況にあわせて自在に通報先を変更することができるようにする。また検知時に撮影した画像の閲覧を許可するかどうかを送信先毎もしくは前記グループ毎に登録できるようにする【選択図】  図１
2004280381.tif 000002
【特許請求の範囲】
【請求項１】
宅内の侵入者を検知し、その検知情報をセンターサーバに送信し、前記センターサーバから予め指定された複数の送信先へ前記検知情報を通知する緊急通報システムであって、前記複数の送信先の少なくとも１つから前記センターサーバに通信し、送信先の登録、変更及び削除のうち少なくとも１つをできるようにした緊急通報システム。
【請求項２】
複数の送信先の少なくとも１つから前記センターサーバに通信し、登録した送信先をグループ化できるようにした請求項１記載の緊急通報システム。
【請求項３】
検知情報を送信する送信先をグループごとに登録できるようにした請求項２記載の緊急通報システム。
【請求項４】
送信先とセンターサーバは双方向に通信できるようにした請求項２記載の緊急通報システム。
【請求項５】
検知情報は、侵入者検知時に撮影した画像を含む請求項１から４のいずれかに記載の緊急通報システム。
【請求項６】
宅内の侵入者を検知し、侵入者検知時に撮影した画像を含む検知情報をセンターサーバに送信し、前記センターサーバから予め指定された複数の送信先へ前記検知情報を通知する緊急通報システムであって、前記複数の送信先の少なくとも１つから前記センターサーバに通信し、前記複数の送信先のうち前記画像の閲覧を許可する送信先を登録できるようにした緊急通報システム。
【請求項７】
画像を含む検知情報を送信する送信先をグループ化し、画像の閲覧を許可する送信先をグループごとに登録できるようにした緊急通報システム。
【請求項８】
センターサーバから、画像の閲覧を許可された送信先へ、侵入者検知時に撮影した画像が送信されるようにした請求項６または７記載の緊急通報システム。
【請求項９】
宅内の侵入者を検知し、侵入者検知時に撮影した画像を含む検知情報をセンターサーバに送信し、前記センターサーバから予め指定された送信先へ前記検知情報を通知する緊急通報システムであって、前記送信先から前記センターサーバの予め指定したＵＲＬにアクセスしログインする時に前記センターサーバは撮影した最新画像をトップ画面に表示するようにした緊急通報システム。
【請求項１０】
ＵＲＬが送信先へ送信される検知情報に含まれるときのみ最新画像をトップ画面に表示するようにした請求項９記載の緊急通報システム。
【請求項１１】
トップ画面を表示するかどうかを予め指定された送信先から設定できるようにした請求項９記載の緊急通報システム。
【請求項１２】
宅内の侵入者を検知し、侵入者検知時に撮影した画像を含む検知情報をセンターサーバに送信し、前期センターサーバから予め指定された送信先へ前記検知情報を通知する緊急通報システムであって、前記送信先のロゴ表示として最新の撮影画像を表示するようにした緊急通報システム。
【請求項１３】
ロゴ表示として最新の撮影画像を表示するかどうかを予め指定された送信先から設定できるようにした請求項１２記載の緊急通報システム。
【請求項１４】
送信先は携帯電話である請求項１から１３のいずれかに記載の緊急通報システム。
【請求項１５】
携帯電話画面の大きさに合わせて全体画面を表示するようにした請求項１４記載の緊急通報システム。
【請求項１６】
携帯電話のカーソルキーまたは数字キーに拡大、縮小キーを割り振り画面の拡大縮小を行なう請求項１４または１５記載の緊急通報システム。
【請求項１７】
携帯電話のカーソルキーまたは数字キーに拡大時の画面表示位置を移動するキーを割り振り、撮影画像の任意個所の拡大縮小を行なう請求項１４から１６のいずれかに記載の緊急通報システム。
【請求項１８】
携帯電話のキーの１つをデフォルトキーとし、前記デフォルトキーの操作により画像を画面全体に表示する請求項１４から１７のいずれかに記載の緊急通報システム。
【請求項１９】
デフォルトキーは５の数字キーである請求項１８記載の緊急通報システム。
【発明の詳細な説明】
【０００１】
【発明の属する技術分野】
本発明は、宅内の侵入者を検知し、宅外の送信先へ侵入者の画像情報を含む検知情報を送信する緊急通報システムに関する。
【０００２】
【従来の技術】
従来より、宅内の侵入者を検知し、その検知情報とともに侵入者の画像を指定のｍａｉｌアドレスへ連絡する緊急警報システムが知られている（例えば特許文献１）。
【０００３】
図５はこの従来技術について説明したもので、侵入検知センサ１は宅内に侵入した侵入者５を検知し、その検知情報を緊急通報装置３へ出力する。緊急通報装置３はカメラ２に画像撮影を指示しカメラ２は侵入者５の侵入時点の画像を撮影し、緊急通報装置３へ出力する。緊急通報装置３は電話回線などのインターネット網４を通じて侵入者５の検知情報と侵入時点の画像をセンターサーバ１０へと送信する。センターサーバ１０はあらかじめ登録された複数のｍａｉｌアドレスにその検知情報と侵入時点の画像が撮影されセンターサーバ１０に蓄積されていることを知らせるｍａｉｌを複数の送信先１１に同時送信する。複数のアドレスへ情報を同時に送信することで、宅内に侵入者があることをユーザが認識できなくなることを防ぐことができる。
【０００４】
【特許文献１】
特開２００２−１２５２２０号公報
【０００５】
【発明が解決しようとする課題】
しかしながら前記従来の技術においては、複数のｍａｉｌアドレスへ検知情報を同時送信することはできても、ユーザが送信先のｍａｉｌアドレスを自分で自由に設定する機能はもたない。そのため主となる緊急通報先をユーザが現在の自分や家族の状況に応じて変更したい場合、センターサーバを運営する第三者に対してその変更を依頼しなければならず手間と時間がかかるという問題がある。
【０００６】
またユーザが登録したｍａｉｌアドレス毎に、センターサーバに蓄積された侵入者を撮影した宅内画像を閲覧許可、不許可の設定を行なう閲覧のレベル分け機能は存在しない。そのため一旦登録されたユーザ全員が宅内の画像を閲覧できることとなりプライバシー保護の面で問題がある。
また登録したｍａｉｌアドレスが携帯電話などの様に入出力装置の大きさや能力に制限がある場合には、センターサーバにアクセスして画像の閲覧を行なう入力作業が煩雑となり、実際に画像を閲覧するまで時間がかかるという問題がある。
【０００７】
また画像を表示しても携帯電話の様な端末装置では、画面が小さいために詳細な情報が得られないという問題がある。
本発明の目的はこれらの問題を解決することにある。
【０００８】
【課題を解決するための手段】
上記目的を達成するため、本発明の緊急通報システムは、宅内の侵入者を検知し、その検知情報をセンターサーバに送信し、前記センターサーバから予め指定された複数の送信先へ前記検知情報を通知する緊急通報システムであって、前記複数の送信先の少なくとも１つから前記センターサーバに通信し、送信先の登録、変更及び削除のうち少なくとも１つをできるようにする。
【０００９】
また、本発明の緊急通報システムは、複数の送信先の少なくとも１つから前記センターサーバに通信し、登録した送信先をグループ化できるようにし、さらに、検知情報を送信する送信先をグループごとに登録できるようにする。
【００１０】
また、本発明の緊急通報システムは、送信先とセンターサーバは双方向に通信できるようにし、さらに、送信する検知情報は、侵入者検知時に撮影した画像を含むようにする。
【００１１】
また、本発明の緊急通報システムは、宅内の侵入者を検知し、侵入者検知時に撮影した画像を含む検知情報をセンターサーバに送信し、前記センターサーバから予め指定された複数の送信先へ前記検知情報を通知する緊急通報システムであって、前記複数の送信先の少なくとも１つから前記センターサーバに通信し、前記複数の送信先のうち前記画像の閲覧を許可する送信先を登録できるようにする。
【００１２】
また、本発明の緊急通報システムは、画像を含む検知情報を送信する送信先をグループ化し、画像の閲覧を許可する送信先をグループごとに登録できるようにし、さらに、センターサーバから、画像の閲覧を許可された送信先へ、侵入者検知時に撮影した画像が送信されるようにする。
【００１３】
また、本発明の緊急通報システムは、宅内の侵入者を検知し、侵入者検知時に撮影した画像を含む検知情報をセンターサーバに送信し、前記センターサーバから予め指定された送信先へ前記検知情報を通知する緊急通報システムであって、前記送信先から前記センターサーバの予め指定したＵＲＬにアクセスしログインする時に前記センターサーバは撮影した最新画像をトップ画面に表示するようにする。
【００１４】
また、本発明の緊急通報システムはＵＲＬが送信先へ送信される検知情報に含まれるときのみ最新画像をトップ画面に表示するようにし、さらに、トップ画面を表示するかどうかを予め指定された送信先から設定できるようにする。
【００１５】
また、本発明の緊急通報システムは、宅内の侵入者を検知し、侵入者検知時に撮影した画像を含む検知情報をセンターサーバに送信し、前期センターサーバから予め指定された送信先へ前記検知情報を通知する緊急通報システムであって、前記送信先のロゴ表示として最新の撮影画像を表示するようにし、さらに、ロゴ表示として最新の撮影画像を表示するかどうかを予め指定された送信先から設定できるようにする。
【００１６】
また、本発明の緊急通報システムは、送信先は携帯電話とし、さらに携帯電話画面の大きさに合わせて撮影画像の全体画面を表示するようにする。
【００１７】
また、本発明の緊急通報システムは、携帯電話のカーソルキーまたは数字キーに拡大、縮小キーを割り振り画面の拡大縮小を行なうようにし、さらに、緊急通報システムは、携帯電話のカーソルキーまたは数字キーに拡大時の画面表示位置を移動するキーを割り振り、撮影画像の任意個所の拡大縮小を行なうようにする。
【００１８】
また、本発明の緊急通報システムは、携帯電話のキーの１つをデフォルトキーとし、前記デフォルトキーの操作により画像を画面全体に表示するようにし、さらに、画面全体を表示するデフォルトキーを５の数字キーとする。
【００１９】
【発明の実施の形態】
（発明の実施の形態１）
以下本発明の実施の形態１について図面を参照しながら説明する。
【００２０】
図１は、本実施の形態における緊急通報システムを示す図であり、侵入検知センサ１は宅内に侵入した侵入者５を検知し、その検知情報２０を緊急通報装置３へ出力する。緊急通報装置３はカメラ２に画像撮影を指示しカメラ２は侵入者５の侵入時点の画像を撮影し、緊急通報装置３へ出力する。緊急通報装置３は電話回線などのインターネット網４を通じて侵入者５の侵入時点の画像データを含む検知情報２０をセンターサーバ１０へ送信する。
【００２１】
そして、センターサーバ１０は内部の登録データベース７にあらかじめ登録された複数のｍａｉｌアドレスに、侵入者を検知したことと情報と画像データベース８に侵入時点の画像が蓄積されていることを知らせるｍａｉｌを複数の送信先１１に同時送信する。ｍａｉｌの送信先として指定された送信先１１のうち特定の装置（例えば携帯電話１１ａ）はあらかじめ指定されたＵＲＬからセンターサーバ１０にアクセスし、センターサーバ１０内の登録データベース７に対してｍａｉｌ送信先の登録、変更及び削除を行なう。また登録した送信先をグループ化（例えば携帯電話１１ｂとパーソナルコンピュータ１１ｃ）したり、グループ化したグループ毎に検知情報２０を送信するかどうかを登録データベース７に登録できるようにする。
【００２２】
また、画像データベース８に蓄積された侵入者５の画像情報は、あらかじめ登録データベース７に登録された送信先である端末（例えば携帯電話１１ａ）からセンターサーバ１０に通信することで、画像を閲覧することができる。また登録データベース７は画像の閲覧を許可する送信先をグループごとに登録できる。またあらかじめ登録データベース７に画像の閲覧を許可された送信先が登録されて入る場合は、侵入者検知時に撮影した画像を直接登録した送信先に送信されるようにすることもできる。
【００２３】
次に図２を用いて、センターサーバ１０と送信先１１とが通信する内容および手順の詳細について説明する。図２は、センターサーバ１０と送信先１１とが通信する内容および手順の詳細について示したものである。まず、登録データベース７に、侵入者の検知情報の送信先（例えば携帯電話１１ａ）から、センターサーバ１０の予め指定したＵＲＬにアクセスする。なお、この検知情報の送信先はあらかじめ登録データベース７に指定されている。そして、送信先である携帯電話１１ａの表示画面に表示されたログイン画面から、操作者がログインすると、センターサーバ１０は撮影した最新画像を画像データベース８から携帯電話１１ａ表示画面の呼び出しトップ画面に表示するようにする。また前記ＵＲＬを送信先へ送信される検知情報に添付して送信し、そのＵＲＬでアクセスしたときのみ最新画像をトップ画面に表示するようにすることもできる。また前記ＵＲＬを用いてもトップ画面に画像を表示するかどうかを予め指定された送信先からセンターサーバ１０へアクセスして登録データベース７に設定できるようにする。
【００２４】
次に図３を用いて、センターサーバ１０と送信先１１が通信する内容および手順の詳細について送信先１１のうちの１つ携帯電話１０ａを例にして説明する。図３は、センターサーバ１０と送信先１１とが通信する内容および手順の詳細について送信先１１のうちの１つを例にして示したものである。図３において、登録データベース７に指定した侵入者の検知情報の送信先１１から、センターサーバ１０の予め指定したＵＲＬにアクセスすると、前記センターサーバ１０は撮影した最新画像を画像データベース８から呼び出し、ログイン画面のロゴ画像として表示するようにする。また前記ＵＲＬを用いてもトップ画面に画像を表示するかどうかを予め指定された送信先からセンターサーバ１０へアクセスして登録データベース７に設定できるようにする。
【００２５】
図４は、本実施の形態の送信先１１のうちの１つ（例えば携帯電話１１ａ）を示し、この実施例では携帯電話を示す。図４において、携帯電話１１ａは侵入者の検知情報の送信先でありセンターサーバへのアクセスを行なう端末装置でもある。侵入者検知時に撮影した画像をこの携帯電話１１ａの画面表示する際には、あらかじめ携帯電話画面の大きさに合わせて撮影画像データを加工し、撮影画像全体が携帯電話画面を表示するようにする。
【００２６】
また、図４においては、撮影画像が横６４０、縦４８０の画素数の画像であり、携帯電話に表示できる画素数が横２００、縦１５０である場合を示している。図４に示すように侵入者全体像を限られた携帯電話の画面で確認することができる。また携帯電話１０ａはカーソルキー１２ａと数字キー１２ｂを備えたものが一般的である。このカーソルキー１２ａと数字キー１２ｂのいずれかに画面の拡大、縮小を行なう機能を割り振り、表示画面の画面の拡大縮小を行なうようにする。また同じくカーソルキー１２ａまたは数字キー１２ｂに拡大時の画面表示位置を移動するキーを割り振り、撮影画像の任意個所の拡大縮小を行なうようにする。
【００２７】
また、全体画面の表示に簡易な操作で戻ることができるように、携帯電話１０ａのキーの１つをデフォルトキーと設定し、前記デフォルトキーを押すともとの全体画像を表示するようにする。たとえば携帯電話１０ａのキーの１つである数字の５のキー１２ｃを画面全体に表示するデフォルトキーと設定することにより、画面の小さな携帯電話でも侵入者の情報の詳細を認識できるようにすることができる。
【００２８】
上記したように、  本発明の緊急通報システムは、センターサーバから侵入者の検知情報を送信するアドレスをもつ複数の端末装置の少なくとも１つから、前記センターサーバに通信して、送信先の登録、変更、削除、送信先のグループ化を可能とすることでユーザが自分の状況にあわせて自在に通報先を変更することができる。
【００２９】
また検知時に撮影した画像の閲覧を許可するかどうかを送信先毎もしくは前記グループ毎に登録できるようにすることで、宅内画像の閲覧を制限するプライバシー保護を行なうことができる。
【００３０】
また画像閲覧を行なう際に、予め指定したＵＲＬからセンターサーバへアクセスしログインしたときには、センターサーバは撮影した最新画像をトップ画面に表示するようにすることで、画像を確認するまでのユーザの入力作業を簡略にすることができる。
【００３１】
また検知情報の送信先および画像を閲覧するための装置として携帯電話を使用する場合、携帯電話画面の大きさに合わせて撮影画像の全体画面を表示するようにし、携帯電話のカーソルキーまたは数字キーに拡大、縮小キーを割り振り画面の拡大縮小を行ない、携帯電話のカーソルキーまたは数字キーに拡大時の画面表示位置を移動するキーを割り振り、撮影画像の任意個所の拡大縮小を行ない、携帯電話のキーの１つたとえば数字の５のキーを画面全体に表示するデフォルトキーと設定することにより、画面の小さな携帯電話でも侵入者の情報の詳細を認識できるようにすることができる。
【００３２】
【発明の効果】
本発明の緊急通報システムは、センターサーバから侵入者の検知情報を送信するアドレスをもつ複数の端末装置の少なくとも１つから、前記センターサーバに通信して、送信先の登録、変更、削除、送信先のグループ化を可能とすることでユーザが自分の状況にあわせて自在に通報先を変更することができる。
【００３３】
また検知時に撮影した画像の閲覧を許可するかどうかを送信先毎もしくは前記グループ毎に登録できるようにすることで、宅内画像の閲覧を制限するプライバシー保護を行なうことができる。
【００３４】
また画像閲覧を行なう際に、予め指定したＵＲＬからセンターサーバへアクセスしログインしたときには、センターサーバは撮影した最新画像をトップ画面に表示するようにすることで、画像を確認するまでのユーザの入力作業を簡略にすることができる。
【００３５】
また検知情報の送信先および画像を閲覧するための装置として携帯電話を使用する場合、携帯電話画面の大きさに合わせて撮影画像の全体画面を表示するようにし、携帯電話のカーソルキーまたは数字キーに拡大、縮小キーを割り振り画面の拡大縮小を行ない、携帯電話のカーソルキーまたは数字キーに拡大時の画面表示位置を移動するキーを割り振り、撮影画像の任意個所の拡大縮小を行ない、携帯電話のキーの１つたとえば数字の５のキーを画面全体に表示するデフォルトキーと設定することにより、画面の小さな携帯電話でも侵入者の情報の詳細を認識できるようにすることができる。
【図面の簡単な説明】
【図１】本実施の形態における緊急通報システムを示す図
【図２】本実施の形態におけるセンターサーバと端末装置が通信する内容を示す図
【図３】本実施の形態におけるセンターサーバと通信する端末装置のひとつが通信する内容を示す図
【図４】本実施の形態における端末装置のひとつを示す図
【図５】従来の技術を説明する図
【符号の説明】
１０  センターサーバ
１１  送信先
１１ａ  携帯電話
１２ａ  カーソルキー
１２ｂ  数字キー
１２ｃ  ５の数字キー
【図１】
2004280381.tif 000003
【図２】
2004280381.tif 000004
【図３】
2004280381.tif 000005
【図４】
2004280381.tif 000006
【図５】
2004280381.tif 000007